(57)【特許請求の範囲】
【請求項１】
先端が注射針状に尖って形成された筒状体からなる穿刺筒内に、先端が針状に尖って形成されてその近傍にブラシ毛が突設されたブラシ棒を挿脱自在に配置し、上記ブラシ毛と先端針状部とを上記穿刺筒の先端内に出し入れ操作するための手元側操作手段を上記穿刺筒の基端側に設けたことを特徴とする細胞組織採取具。
【請求項２】
上記手元側操作手段によって、上記ブラシ棒を上記穿刺筒に対して軸線周りに回転させることができる請求項１記載の細胞組織採取具。
【請求項３】
上記ブラシ毛と先端針状部とを、上記手元側操作手段によって上記穿刺筒の先端から突出させることができる請求項１又は２記載の細胞組織採取具。
【発明の詳細な説明】
【０００１】
【発明の属する技術分野】
この発明は、肺等の実質臓器内の細胞組織等を採取するための細胞組織採取具に関する。
【０００２】
【従来の技術】
肺等の実質臓器にできた腫瘍が悪性であるか良性であるかを診断するために、従来は、先端が注射針状に尖って形成された穿刺筒を臓器に穿刺して、さらに先端部分がスクレーパ状に形成された組織採取軸を穿刺筒の先端から突出させ、細胞組織を切り取って採取していた。
【０００３】
【発明が解決しようとする課題】
しかし、上述のように穿刺筒の先端に面する部分から切り取って採取された細胞組織は極めて局部的なものなので、ほんの少し位置がずれた部位に悪性の組織があるような場合でもそれを採取することができず、正しい診断を行うことができない場合が少なくない。
【０００４】
そこで本発明は、実質臓器内から高い確率で正しい診断を行うことができる細胞組織を採取することができる細胞組織採取具を提供することを目的とする。
【０００５】
【課題を解決するための手段】
上記の目的を達成するため、本発明の細胞組織採取具は、先端が注射針状に尖って形成された筒状体からなる穿刺筒内に、先端が針状に尖って形成されてその近傍にブラシ毛が突設されたブラシ棒を挿脱自在に配置し、手元側からの操作によって上記ブラシ毛と先端針状部とを上記穿刺筒の先端内に出し入れできるようにしたことを特徴とする。
【０００６】
なお、手元側からの操作によって、上記ブラシ棒を上記穿刺筒に対して軸線周りに回転させることができるとよく、上記ブラシ毛と先端針状部とが、手元側からの操作によって上記穿刺筒の先端から突出可能であるとよい。
【０００７】
【発明の実施の形態】
図面を参照して本発明の実施の形態を説明する。
図１は、本発明の実施の形態の細胞組織採取具を示している。
【０００８】
図中、１は、先端が太い注射針状に尖って形成された筒状体からなる穿刺筒であり、例えばステンレス鋼製パイプ等によって形成されている。穿刺筒１の手元側端部には、術者の人指し指と中指を差し込んで係合させるための二つの孔が形成された第１の指掛け２が設けられている。
【０００９】
穿刺筒１内には、先端が針状に尖って形成され、それに隣接してナイロン繊維等からなるブラシ毛が放射状に突設されたブラシ棒３が挿脱自在に配置されている。３ａが先端針状部、３ｂがブラシ部である。
【００１０】
図２は、ブラシ棒３の先端部分を拡大して示しており、ブラシ軸３ｃを構成する二本のワイヤの間にブラシ毛が挟み込まれ、ブラシ軸３ｃの撚りが戻ってブラシ毛が抜けることのないように、ブラシ部３ｂと先端針状部３ａとの間に、固定パイプ３ｄがカシメ、スポット溶接又は銀ロー付け等によって固着されている。
【００１１】
ただし、図３に示されるように、固定パイプ３ｄを省略して、その部分３ｄ′においてブラシ軸３ｃを銀ロー付け、スポット溶接、プラズマ溶接、レーザー溶接等で溶接してもよい。
【００１２】
図４はブラシ棒３を示しており、上述のようにしてブラシ部３ｂが形成されたブラシ軸３ｃの基端側の部分が、例えばステンレス鋼製のパイプ等からなる連結棒３ｅの先端に差し込まれ、そこにスポット溶接又は銀ロー付け等によって固着されている。連結棒３ｅの基端部には、術者の親指を差し込んで係合させるための孔が形成された第２の指掛け４が取り付けられている。
【００１３】
図１に戻って、連結棒３ｅは穿刺筒１内に緩く嵌合する太さである。ブラシ部３ｂは穿刺筒１より太い外径寸法であるが、弾性変形することにより穿刺筒１内を通過することができる。
【００１４】
したがって、第２の指掛け４部分を除いてブラシ棒３は穿刺筒１内に挿脱自在であり（ブラシ棒３の先端を穿刺筒１の基端側から差し込む）、且つ穿刺筒１内に挿通された状態で穿刺筒１に対して軸線周りに回転自在である。
【００１５】
ブラシ棒３の連結棒３ｅは穿刺筒１より僅かに長く形成されている。したがって、図１に示されるように、第２の指掛け４部分が第１の指掛け２部分にぶつかるまでブラシ棒３を穿刺筒１に対して最大限に差し込むと、ブラシ部３ｂが穿刺筒１の先端から前方に完全に突出する。
【００１６】
図５は、ブラシ部３ｂと先端針状部３ａとが穿刺筒１の先端部分内に引き込まれた状態を示しており、その状態を保持するためのスペーサ５が、第１の指掛け２と第２の指掛け４との間に挟み込まれている。このスペーサ５は、軸線に垂直な断面の形状が馬蹄形に形成されており、連結棒３ｅに対して側方から自由に係脱させることができる。
【００１７】
このように構成された細胞組織採取具を使用する際には、まず、図６に示されるように、スペーサ５を装着してブラシ部３ｂと先端針状部３ａを穿刺筒１内に引っ込めた状態で、穿刺筒１を肺等の実質臓器１００に突き刺す。
【００１８】
そして、穿刺筒１の先端が腫瘍１０１の直前まで達したら、図７に示されるように、スペーサ５を取り外して、穿刺筒１を固定した状態でブラシ棒３を奥へ押し込む。
【００１９】
すると、ブラシ棒３の先端針状部３ａが実質臓器１００から腫瘍１０１部分を突き通すようにして先へ押し進められ、ブラシ部３ｂが腫瘍１０１内に達する状態になる。この動作を容易に行うために、ブラシ棒３の先端に先端針状部３ａが設けられていることが重要である。
【００２０】
そこで、矢印Ａに示されるように第１の指掛け２に対して第２の指掛け４を押し引きし、ブラシ部３ｂを矢印Ｂに示されるように腫瘍１０１内で前後動させてその付近の細胞をブラシ部３ｂに十分に付着させる。矢印Ｃに示されるようにブラシ棒３に回転操作を加えると、細胞の剥離採取がより効果的に行われる。
【００２１】
ブラシ部３ｂへの細胞採取が十分に行われたら、図６に示されるブラシ部３ｂが穿刺筒１内に引き込まれた状態に戻してから、穿刺筒１を実質臓器１００から引き抜く。このようにして細胞組織の採取を行うことにより、広い範囲から細胞を剥離させて採取することができる。
【００２２】
細胞採取を複数回続けて行う必要がある場合には、穿刺筒１からブラシ棒３を抜き出し、新たなブラシ棒３を差し込んで同様の採取動作を繰り返せばよい。
なお、ブラシ棒３及び穿刺筒１の指かけ４，２は手指でつまんで保持操作できれば形状は特に限定されず、例えば図８に示されるように円柱状太径軸に形成されてもよい。
【００２３】
【発明の効果】
本発明によれば、先端が注射針状に尖って形成された穿刺筒内に、先端が針状に尖って形成されてその近傍にブラシ毛が突設されたブラシ棒を挿脱自在に配置し、手元側からの操作によってブラシ毛と先端針状部とを穿刺筒内に先端側から出し入れすることにより、実質臓器内の広い範囲から細胞を剥離させて採取することができ、高い確率で正しい診断を行うことができる。
【図面の簡単な説明】
【図１】本発明の実施の形態の細胞組織採取具の側面断面図である。
【図２】本発明の実施の形態のブラシ棒の先端部分の側面断面図である。
【図３】本発明の実施の形態のブラシ棒の先端部分の他の例の側面断面図である。
【図４】本発明の実施の形態のブラシ棒の側面断面図である。
【図５】本発明の実施の形態のブラシ棒の先端が穿刺筒内に引き込まれた状態の細胞組織採取具の側面断面図である。
【図６】本発明の実施の形態の細胞組織採取具の使用状態の側面断面図である。
【図７】本発明の実施の形態の細胞組織採取具の使用状態の側面断面図である。
【図８】本発明の第２の実施の形態の細胞組織採取具の使用状態の側面断面図である。
【符号の説明】
１  穿刺筒
３  ブラシ棒
３ａ  先端針状部
３ｂ  ブラシ部
５  スペーサ
【図１】
0004172852.tif 000002
【図２】
0004172852.tif 000003
【図３】
0004172852.tif 000004
【図４】
0004172852.tif 000005
【図５】
0004172852.tif 000006
【図６】
0004172852.tif 000007
【図７】
0004172852.tif 000008
【図８】
0004172852.tif 000009